(57)【要約】      （修正有）【課題】手荷物ケース（スーツケース）は、不正アクセスを阻止するために、ジッパーのプルタブは、前記手荷物ケース上に取り付けられたロック機構内に固定される場合がある。前記プルタブは、前記ロック機構内に受け入れられるために、互いにインターロックされることなどによって互いに相対的な特定の位置付けを必要とする場合があり、操作が煩雑になる場合があるため、これを解決する。【解決手段】ジッパープルタブ１４６、１４８、ジッパースライダー１４２、１４４の向上した操作、及び所望によりロック機構の向上した動作を可能にするための、互いにインターロックすることなしに磁力によって内側面１５５、１８５に沿って横方向で係合され分離可能に固定されるジッパープルタブを有する、手荷物ケース１００などの手荷物用品。【選択図】図３
2019010504.tif 000002
【特許請求の範囲】
【請求項１】
手荷物用品は、少なくとも２つのジッパースライダー（１４２、１４４）を含むジッパー（１３０）を含み、
前記少なくとも２つのジッパースライダーのうちの１つ（１４２）は、細長い本体（１５０）を含む第１のジッパープルタブ（１４６）に接合されており、前記細長い本体は、外側面（１５４）と内側面（１５５）とを有し、
前記少なくとも２つのジッパースライダーのうちのもう１つ（１４４）は、細長い本体（１８０）を含む第２のジッパープルタブ（１４８）に接合されており、前記細長い本体は、外側面（１８４）と内側面（１８５）とを有し、
少なくとも１つの磁石（２１２）が前記第１のジッパープルタブ（１４６）及び前記第２のジッパープルタブ（１４８）のうちのいずれか又は両方と連結されており、
前記第１のジッパープルタブ（１４６）と前記第２のジッパープルタブ（１４８）とは、磁力によって、前記第１のジッパープルタブ（１４６）と前記第２のジッパープルタブ（１４８）の各内側面（１５５、１８５）の少なくとも部分に沿って横方向で係合され、係合した状態で保持される、手荷物用品。
【請求項２】
前記第１のジッパープルタブ（１４６）は係合特徴（１６２）を含み、
前記第２のジッパープルタブ（１４８）は係合特徴（１８８）を含み、
ロック機構（１６６）が前記手荷物用品（１００）に連結されており、前記ロック機構（１６６）は少なくとも２つのジッパープルタブ受入開口部（１７２、１９２）を含み、前記少なくとも２つのジッパープルタブ受入開口部はそれぞれが前記係合特徴（１６２、１８８）のうちの１つを受け入れるようにサイズ決定されており、
横方向で係合された第１のジッパープルタブ（１４６）及び第２のジッパープルタブ（１４８）は、前記係合特徴（１６２、１８８）を、前記少なくとも２つのジッパープルタブ受入開口部（１７２、１９２）内への受け入れのために位置付ける、請求項１に記載の手荷物用品。
【請求項３】
前記係合特徴（１６２、１８８）は、前記少なくとも２つのジッパープルタブ受入開口部（１７２、１９２）内に受け入れられる、請求項２に記載の手荷物用品。
【請求項４】
前記第１のジッパープルタブ（１４６）及び前記第２のジッパープルタブ（１４８）は、前記各内側面（１５５、１８５）の前記部分の当接によって係合される、請求項１〜請求項３のいずれか一項に記載の手荷物用品。
【請求項５】
前記各内側面（１５５、１８５）の前記部分の前記当接は、前記第１のジッパープルタブ（１４６）及び前記第２のジッパープルタブ（１４８）の、インターロックなしでの面当接を含む、請求項４に記載の手荷物用品。
【請求項６】
前記第１のジッパープルタブ（１４６）及び前記第２のジッパープルタブ（１４８）は、前記磁力によって係合した状態で保持されている場合、横方向で延在する単一のユニットを形成する、請求項１〜請求項５のいずれか一項に記載の手荷物用品。
【請求項７】
前記第１のジッパープルタブ（１４６）の上側面（１５２）及び底側面（１５３）のうちの一方又は両方は、前記第２のジッパープルタブ（１４８）の、それぞれ、上側面（１８２）及び底側面（１８３）の一方又は両方と面一である、請求項１〜請求項６のいずれか一項に記載の手荷物用品。
【請求項８】
各ジッパープルタブ（１４６、１４８）の前記内側面（１５５、１８５）の横方向で係合される部分は、各ジッパープルタブの上側面に対して実質的に直角に延在する壁を形成する、請求項１〜請求項７のいずれか一項に記載の手荷物用品。
【請求項９】
前記磁力は、前記第１のジッパープルタブ（１４６）の前記内側面（１５５）の少なくとも部分と連結された少なくとも第１の磁石（２１２）を、又は、前記第２のジッパープルタブ（１４８）の前記内側面（１８５）の少なくとも部分と連結された少なくとも第２の磁石（２１８）を、又は、前記第１のジッパープルタブ（１４６）及び前記第２のジッパープルタブ（１４８）のそれぞれの前記内側面（１５５、１８５）の少なくとも部分とそれぞれ連結された少なくとも第１の磁石（２１２）及び少なくとも第２の磁石（２１８）を含む、請求項１〜請求項８のいずれか一項に記載の手荷物用品。
【請求項１０】
第１の内側面（１５５）及び／又は第２の内側面（１８５）の部分がリセス（２０８、２２２）を画定し、少なくとも第１の磁石（２１２）及び／又は少なくとも第２の磁石（２１８）はそれぞれのリセス（２０８、２２２）内に受け入れられている、請求項９に記載の手荷物用品。
【請求項１１】
少なくとも第１の磁石（２１２）は第１の内側面（１５５）の部分内に完全に埋め込まれており、及び／又は、少なくとも第２の磁石（２１８）は第２の内側面（１８５）の部分内に完全に埋め込まれている、請求項９に記載の手荷物用品。
【請求項１２】
前記第１の磁石（２１２）及び／又は前記第２の磁石（２１８）はそれぞれ、各内側面（１５５、１８５）の部分と面一であるか、面一より下か、又は面一より上である、請求項１０に記載の手荷物用品。
【請求項１３】
前記第１のジッパープルタブ（１４６）及び／又は前記第２のジッパープルタブ（１４８）の前記内側面（１５５、１８５）の部分の少なくとも一部上に層（２２４）が位置付けられた、請求項１〜請求項１２のいずれか一項に記載の手荷物用品。
【請求項１４】
前記第１のジッパープルタブ（１４６）及び前記第２のジッパープルタブ（１４８）の各内側面（１５５、１８５）の部分は、直線形状を画定するか、又は相補的な曲線形状を画定する、請求項１〜請求項１３のいずれか一項に記載の手荷物用品。
【請求項１５】
前記ロック機構は手荷物ケースの側壁に取り付けられているか、又は前記ロック機構は前記手荷物ケースから独立している、請求項２に記載の手荷物用品。
【発明の詳細な説明】
【技術分野】
【０００１】
本発明は手荷物用品に関し、特に、手荷物用品のための横方向で係合されるジッパープルタブに関する。
【背景技術】
【０００２】
手荷物製品、特に手荷物ケース（スーツケース）は多くの場合、様々な目的のための、とりわけ、相補的な手荷物シェルの開閉における使用及び外部ポケットの開閉における使用などのための、ジッパーを含む。不正アクセスを阻止するために、ジッパーのプルタブは、前記手荷物ケース上に取り付けられたロック機構内に固定される場合がある。ジッパーが２つ以上のプルタブを有する場合、例えば２つのジッパースライダーのそれぞれについて１つのプルタブを有する場合、前記プルタブは、前記ロック機構内に受け入れられるために、互いにインターロックされることなどによって互いに相対的な特定の位置付けを必要とする場合がある。前記プルタブのこの相対的な位置付け又はインターロックは、多くの理由で達成するのが困難な可能性があり、前記理由としては例えば、作業照明が不十分であること、又は前記プルタブが、例えば一方のプルタブの部分が別のプルタブの部分の中に受け入れられた状態若しくは別のプルタブの部分を通して挿入された状態でインターロックされることなど、特定の方法で互いに係合されなければならないこと、などが挙げられる。加えて、使用者は、前記プルタブを前記ロック機構内に受け入れられるための適切な相互係合の向きに操作するために必要な器用さを有さない可能性がある。
【０００３】
したがって、改良された手荷物ケースを提供することが望ましく、より具体的には、上述の問題に対処する、且つ／又はより一般的に既存の構成に対する改良又は代替を提供する、改良された自動的に整列されるプルタブを有して構成された、手荷物ケースのための改良されたジッパーロックシステムを提供することが望ましい。
【０００４】
様々なキャリーハンドルを含むという点で本開示に関連する可能性がある文献としては、欧州特許出願公開第２９２６６７９Ａ１号明細書、欧州特許出願公開第２７１０９１５Ａ２号明細書、欧州特許出願公開第２３８４６６０Ａ３号明細書（インターロックの例）、国際公開第２０１６１００５５３Ａ１号パンフレット、中国特許出願公開第１０４３８２３０２Ａ号明細書、中国実用新案第２０１２３４６２１Ｙ号明細書、中国実用新案第２０５５９７３９０Ｕ号明細書、中国実用新案第２０４７４２８６１Ｕ号明細書（インターロックの例）、及び中国実用新案第２０４８１２４１５Ｕ号明細書が含まれる。
【発明の概要】
【０００５】
したがって本開示によれば、添付の特許請求の範囲に記載された手荷物用品が提供される。
【０００６】
改良されたジッパープルタブ係合構造、及び／又は、前記改良されたジッパープルタブ係合構造と共に使用するように構成されたロック機構、及び／又は、前記ロック機構と共に使用される改良されたジッパープルタブと共に使用するように構成された手荷物ケースが本明細書中で開示され、これらは前記ジッパープルタブの横方向での係合を、使用者によるより容易な操作のために可能にするものである。加えて又は代替として、前記開示は、前記ジッパープルタブを、ジッパープルタブの方向付けを可能にするための磁力を使用して、横方向での係合構成において分離可能に固定することを可能にする。前記ジッパープルタブのそのような横方向での係合は、使用者にとってより好都合な取り扱いのために有益であり得る。前記ジッパープルタブのそのような横方向での係合はまた、一方のジッパープルタブの部分が他方のジッパープルタブの部分の中に、又は他方のジッパープルタブの部分を通して受け入れられることなどによる特定の方法での機械的インターロック係合を必要とすることなしでの、ロック機構内への受け入れのために有益であり得る。加えて又は代替として、本開示はまた、指若しくは手の器用さが限られているか又は視覚能力が限られている使用者によって、前記ジッパープルがロック機構内への受け入れのために必要に応じて整列されることを、及び、整列されたジッパープルタブが前記ロック機構内に係合されることを可能にし得る。前記ジッパープルタブのそのような横方向での係合は、向上した外観及びより整った構成を提供する。
【０００７】
一構成では、前記ジッパープルタブは磁力によって互いに整列される。前記磁力は、前記ジッパープルタブを緩く一緒に保持する大きさのものであってもよく、且つ互いからの比較的容易な分離を可能にしてもよい。加えて又は別個に、前記ジッパープルタブは、いずれのジッパープルタブのいかなる部分も他のジッパープルタブと機械的にインターロックされることなしに、横方向で互いに当接される。加えて又独立に、整列されたジッパープルタブは、上述のように、ロック機構と係合されてもよい。
【０００８】
本開示は、例えば手荷物用品が暗い環境内にある場合、又は使用者の指若しくは手の器用さが限られている場合などに、使用者が前記手荷物用品のジッパーをより容易にロックすることを可能にする。本開示はまた、前記ジッパーをロックすることの簡便性及び容易さを向上し、第１のジッパープルタブがロック受入開口部内に受け入れられた後で、しかし第２のジッパープルタブが前記ロック受入開口部内に受け入れられる前に、前記ロック機構のコンビネーションが誤って変更される危険を低減する。本明細書中に記載される横方向で係合されるジッパープルタブは、所望の位置付け及び整列を容易にし、且つ前記ロック機構と係合するために単一のユニットとして操作され得、それにより、これらの利点のうちの１つ又は組み合わせを満たす。
【０００９】
一構成では、手荷物用品が、少なくとも２つのジッパースライダーを含むジッパーを含み、前記少なくとも２つのジッパースライダーのうちの一方は、細長い本体を含む第１のジッパープルタブに接合されており、前記細長い本体は、外側面と内側面と係合特徴とを有する。前記少なくとも２つのジッパースライダーのうちの他方は、細長い本体を含む第２のジッパープルタブに接合されており、前記細長い本体は、外側面と内側面と係合特徴とを有する。前記第１のジッパープルタブと前記第２のジッパープルタブとは、磁力によって、それらの各内側面の少なくとも部分に沿って横方向で係合され、係合した状態で分離可能に保持される。
【００１０】
加えて又は代替として、ロック機構が前記手荷物用品に連結されていてもよい。前記ロック機構は、前記手荷物ケース上に位置付けられていてもよく、且つ前記手荷物ケースの側面のうちの１つに、ジッパーに隣接して固定されていてもよく、又は前記ロック機構は、前記手荷物ケースから独立していてもよく、例えば南京錠などであってもよい。前記ロック機構は少なくとも２つのジッパープルタブ受入開口部であってもよく、前記少なくとも２つのジッパープルタブ受入開口部はそれぞれが前記係合特徴のうちの１つを受け入れるようにサイズ決定されていてもよい。横方向で係合された第１のジッパープルタブ及び第２のジッパープルタブは、前記係合特徴を、前記少なくとも２つのジッパープルタブ受入開口部内への受け入れのために位置付ける。加えて又は代替として、前記係合特徴は、前記少なくとも２つのジッパープルタブ受入開口部内に受け入れられてもよい。
【００１１】
別の構成では、上記に加えて又は上記の代替として、前記第１のジッパープルタブ及び前記第２のジッパープルタブは、前記各内側面の前記部分の当接によって係合される。さらに加えて、前記各内側面の前記部分の前記当接は、前記第１のジッパープルタブ及び前記第２のジッパープルタブの、インターロックなしでの面当接を含む。
【００１２】
別の構成では、上記に加えて、前記第１のジッパープルタブ及び前記第２のジッパープルタブは、横方向で延在する単一のユニットを形成する。
【００１３】
さらなる構成は、前記第１のジッパープルタブの上側面が前記第２のジッパープルタブの上側面と面一であることを、又は、前記第１のジッパープルタブの底側面が前記第２のジッパープルタブの底側面と面一であることを含む。
【００１４】
別の構成では、各ジッパープルタブの前記内側面の横方向で係合される部分は、各ジッパープルタブの上側面に対して実質的に直角に延在する壁を形成する。
【００１５】
本開示のさらなる構成では、前記磁力は、前記第１のジッパープルタブの前記内側面の少なくとも部分と連結された少なくとも第１の磁石を、又は、前記第２のジッパープルタブの前記内側面の少なくとも部分と連結された少なくとも第２の磁石を、又は、前記第１のジッパープルタブ及び前記第２のジッパープルタブのそれぞれの前記内側面の少なくとも部分とそれぞれ連結された少なくとも第１の磁石及び少なくとも第２の磁石を含む。前記第１の磁石は前記第１のジッパープルタブの部分内に完全に埋め込まれることによって連結されていてもよく、前記第２の磁石は前記第２のジッパープルタブの部分内に完全に埋め込まれることによって連結されていてもよい。
【００１６】
さらなる構成は、第１の内側面及び／又は第２の内側面の部分がリセスを画定し、少なくとも第１の磁石及び／又は少なくとも第２の磁石がそれぞれのリセス内に受け入れられていることを含む。加えて、前記第１の磁石及び／又は前記第２の磁石はそれぞれ、各内側面の部分と面一であるか、面一より低いか、又は面一より高い。
【００１７】
加えて、前記第１のジッパープルタブ及び／又は前記第２のジッパープルタブの前記内側面の少なくとも部分上に層が位置付けられていてもよい。前記層は各ジッパープルタブ上の前記第１の磁石及び／又は前記第２の磁石の上に重ならず、前記各ジッパープルタブ上の前記第１の磁石及び／又は前記第２の磁石を露出させる。
【００１８】
さらなる構成では、前記第１のジッパープルタブ及び前記第２のジッパープルタブの各内側面の部分は、直線形状を画定するか、又は相補的な曲線形状を画定する。
【００１９】
追加の構成、例、及び特徴は、部分的に以下の説明において述べられ、本明細書を検討することにより当業者にとって明らかとなり、又は開示される主題の実施によって知ることができる。本開示の本質及び利点のさらなる理解は、本明細書の残りの部分と、本開示の一部を形成する図面とを参照することによって実現可能である。本開示の様々な態様及び特徴のそれぞれは、いくつかの場合には別個に、又は他の場合には本開示の他の態様及び特徴と組み合わせて、有利に使用されてもよいということを当業者は理解するであろう。
【００２０】
次に本発明について、以下の図面を参照して単なる例として説明する。
【図面の簡単な説明】
【００２１】
【図１】自動的に整列されるジッパープルタブを有する手荷物ケースの正面斜視図である。
【図２】図１に示した手荷物ケースの上部分の拡大斜視図であり、ロック機構に接合される前の整列されたジッパープルタブが示されている。
【図３】図１に示した手荷物ケースの上部分の拡大斜視図であり、前記ロック機構と係合された整列されたジッパープルタブが示されている。
【図４】ロック機構と係合された２対の整列されたプルタブの部分図である。
【図５】横方向で係合される前の第１のジッパープルタブ及び第２のジッパープルタブの拡大図である。
【図６】横方向で係合された場合の第１のジッパープルタブ及び第２のジッパープルタブの拡大図である。
【図７】図５の線７−７に沿った断面図である。
【図８】図６の線８−８に沿った断面図である。
【図９】図７の代表的な断面図に類似した代表的な断面図である。
【図１０】図８の代表的な断面図に類似した代表的な断面図である。
【図１１】図９の代表的な断面図に類似した、しかし各ジッパープルタブの外表面に施された層を示す、代表的な断面図である。
【図１２】図１０の代表的な断面図に類似した、しかし各ジッパープルタブの外表面に施された層を示す、代表的な断面図である。
【発明を実施するための形態】
【００２２】
図１を参照すると、接合されたジッパープルタブの向上した取り扱いを可能にするための、及び別個に、手荷物ケースのロック機構の向上した動作を可能にするための、横方向で係合されるジッパープルタブを有する手荷物ケース１００などの手荷物用品の一実施形態が示されている。前記ジッパープルタブは、前記プルタブを前記ロック機構と係合する際の、単一のユニットとしての操作を容易にするように構成されてもよい。前記ジッパープルタブは、互いに整列され、それらの内側面の少なくとも部分に沿って横方向で互いに係合され、且つ互いに係合した状態で解放可能に保持されてもよく、それにより、前記手荷物用品上のジッパーをロックするための使用者によるより容易な操作のための、単一のユニットが少なくとも一時的に形成されてもよい。この横方向での係合及び解放可能な固定により、係合されたジッパープルタブがより容易に前記ロック機構と整列されることが可能になる。別個に、前記横方向での係合及び解放可能な固定により、前記係合されたジッパープルタブが単一のユニットを形成して、閉じられたジッパーをロックするために前記ロック機構内により容易に挿入されることが可能になり得る。いくつかの例では、前記ジッパープルタブは、それらの内側面の少なくとも部分に沿って、（例えば、一方のプルタブの部分を他方のプルタブの部分内に又は他方のプルタブの部分を通して挿入することなどによる）前記ジッパープルタブの間のインターロックなしに、内側表面の当接によって係合する。この構成において、前記ジッパープルタブは同時に又はほぼ同時に前記ロック機構内に挿入されてもよい。これにより多くの場合、前記ロック機構に前記ジッパープルタブをロックすることはより簡単になり得る。これはまた、暗い環境内で前記ジッパーをロックすることにおいて、又は使用者の器用さが限られているか若しくは視覚能力が限られている可能性がある場合に、助けになり得る。
【００２３】
引き続き図１を参照すると、手荷物ケース１００は、使用者の持ち物を中に格納するための手荷物ケース１００の包囲された内部容積を画定する複数の壁から形成される概して直方体の構造を含む。手荷物ケース１００は、手荷物ケース１００の主要な前面及び後面を形成する対向する前壁１０２及び後壁１０４と、手荷物ケース１００の側面を形成する対向する側壁１０６、１０８と、手荷物ケース１００の上面及び底面を形成する対向する上端壁１１０及び底端壁１１２とを含んでもよい。全体として、壁１０２、１０４、１０６、１０８、１１０、１１２は手荷物ケース１００の外部構造を画定し、そしてこの外部構造により、前記包囲された内部容積が画定される。図示されているように、横方向で係合されたジッパープルタブは、前記手荷物ケースと連結されたロック機構と係合されてもよい。前記ロック機構は、前記手荷物ケース上に位置付けられていてもよく、且つ前記手荷物ケースの側面のうちの１つに、ジッパーに隣接して固定されていてもよく、又は前記ロック機構は、前記手荷物ケースから独立していてもよく、例えば南京錠などであってもよい。
【００２４】
手荷物ケース１００は、軟質側面ケース、硬質側面ケース、又は混合型ケースとして一般に知られるタイプのものであってもよい。あるいは前記手荷物ケースはまた、ビジネスケース、ラップトップケース、又は、ジッパーによって固定される開口部を有するその他の類似したケースタイプであってもよい。
【００２５】
手荷物ケース１００は、主要面に平行な第１の開口線１１４を用いて、図１に関して概して垂直な平面に沿って分割されてもよい。手荷物ケース１００は、前壁１０２を含む蓋部１１６と、後壁１０４を含む基部１１８とを含んでもよい。図１に示す実施形態において、第１の開口線１１４は前面よりも後面に近く配置されていてもよいが、手荷物ケース１００上の他の相対位置に配置されていてもよい。第１の開口線１１４の周囲に沿って位置付けられた第１のジッパー１３０は、手荷物ケース１００を開閉するために蓋部１１６を基部１１８に固定する。手荷物ケース１００は、入れ子式の伸縮可能ハンドルを含んでもよい。手荷物ケース１００はまた、手荷物ケース１００の運搬及び持ち上げを容易にするための１又は複数の固定式キャリーハンドル１２０を含んでもよい。ホイールアセンブリ１２２が、手荷物ケース１００の底端の近くで、前記壁のうちの少なくとも１つに、多くの場合は底端壁１１２に取り付けられていてもよい。各ホイールアセンブリ１２２は手荷物ケース１００のコーナーに近接して位置付けられていてもよい。各ホイールアセンブリ１２２は、ホイール軸の周りを回転するようにフォークブラケット１２６に回転可能に取り付けられた１又は複数のホイール１２４を含んでもよい。前記ホイール軸は概して水平且つ手荷物ケース１００の底端壁１１２に平行であってもよく、フォークブラケット１２６は、手荷物ケース１００の底端壁１１２に対して直角の概して垂直な軸の周りを回転するように、手荷物ケース１００の底端壁１１２に回転可能に取り付けられていてもよい。そのような構成により、水平ホイール軸及び垂直軸という２つの直交する軸の周りをホイール１２４が回転することが可能になる。
【００２６】
代替の実施形態では、ホイールアセンブリ１２２は、手荷物ケース１００の後壁１０４の近くにそれぞれ取り付けられた一対の固定軸ホイールで置き換えられてもよい。前記固定軸ホイールは、後壁１０４に概して平行な、共通の概して水平な固定軸の周りを回転する。前記固定軸ホイールのそれぞれは、手荷物ケース１００の底端コーナーに配置されていてもよい。
【００２７】
蓋部１１６は、従来の方法でヒンジ１２８を介して側壁に沿って基部１１８に接続されていてもよく、手荷物ケース１００は、前記内部容積にアクセスするためにジッパー１３０を開けることによって第１の開口線１１４において開かれてもよい。ヒンジ１２８は布ストリップで、ジッパー付き若しくはジッパーなしで、又はその他の任意の既知の方法で形成されていてもよい。いくつかの例では、手荷物ケース１００は、左側壁１０６又は右側壁１０８に沿ってヒンジ接続されていてもよく、他の例では、手荷物ケース１００は、手荷物ケース１００の底部に沿って、又はその他の任意の面に沿ってヒンジ接続されていてもよい。
【００２８】
手荷物ケース１００は、所望により、前記手荷物ケースの包囲された内部をより小さな空間に分離するためのポケット１３２をさらに含んでもよい。ポケット１３２は外部ポケットとして示されているが、いくつかの例ではまた、内部ポケットであってもよい。ポケット１３２は、第２の開口線１３４を介して、手荷物ケース１１０の外表面を通してアクセスされてもよい。第２の開口線１３４は、例えば一例では、第２の開口線１３４に沿って位置付けられた第２のジッパー１３６を使用することによって選択的に開閉されてもよい。
【００２９】
図２を参照すると、第１のジッパー１３０及び所望により存在する第２のジッパー１３６は、それぞれ、第１のジッパートラック１３８及び第２のジッパートラック１４０を含んでもよい。第１のジッパートラック１３８及び第２のジッパートラック１４０のそれぞれは、１又は複数のジッパースライダーを使用して選択的にインターロックされてもよいインターロック歯を有する一対のジッパーテープを含む。図示されている手荷物ケース１００の実施形態では、第１のジッパー１３０は、第１のジッパープルタブ１４６が取り付けられた第１のジッパースライダー１４２と、第２のジッパープルタブ１４８が取り付けられた第２のジッパースライダー１４４とを含む。所望により存在する第２のジッパーが利用される場合の第２のジッパー１３６（図４を参照）は、第１のジッパースライダー１４９が取り付けられた第１のジッパースライダー１４５と、第２のジッパースライダー１５１が取り付けられた第２のジッパースライダー１４７とを含む。
【００３０】
引き続き図２を参照すると、第１のジッパープルタブ１４６及び第２のジッパープルタブ１４８は、使用者によって操作される単一のユニットを形成するように、それらの内側面１５５、１８５に沿って整列及び係合され且つ分離可能に一緒に固定されて示されている。この構成において、各ジッパープルタブの底部から延在するものである係合特徴１６２、１８８は、ロック機構１６６内の各受入開口部１７２、１９２と整列される。
【００３１】
図３を参照すると、係合された第１のジッパープルタブ１４６及び第２のジッパープルタブ１４８が単一のユニットとしてロック機構１６６に向けて下に移動された場合、係合特徴１６２、１８８は各受入開口部１７２、１９２内に受け入れられ、概して同時に又はほぼ同時にロック機構１６６に固定される。あるいは図２における構成から、前記第１のジッパープルタブ及び前記第２のジッパープルタブは、前記ジッパープルタブを前記ロック機構内の前記受入開口部上で整列することにおいて使用者を助けるために、横方向で互いに係合されて単一のユニットを形成してもよい。前記ロック機構上で整列されたら、前記ジッパープルタブは互いから分離されて、それぞれ個別に前記ロック機構内の各受入開口部と係合されてもよい。この代替のシナリオでは、たとえ前記ジッパープルタブの係合が単一のユニットとして前記ロック機構と係合されない場合でも、前記ジッパータブの横方向での係合により、前記ジッパータブを前記ロック機構上で容易に整列するための使用者の能力が向上する。
【００３２】
図４は、２つのジッパー１３０及び１３６を有する手荷物用品の代替の例を示す。ジッパープルタブ１４６、１４８は、それぞれ前記ジッパープルタブの内側面１５５、１８５に沿って横方向で係合され且つ分離可能に固定され、次に、ロック機構１６６と係合される。第２のジッパー１３６上のジッパープルタブ１４５、１４７は、それぞれ前記ジッパープルタブの内側面１９６、１９８に沿って横方向で係合され且つ分離可能に固定され、次に、ロック機構１６６内に形成された追加の受入開口部と係合される。
【００３３】
図２をさらに参照すると、第１のジッパー１３０は、本体１５０を含んでもよい第１のジッパープルタブ１４６を含む。第２のジッパープルタブ１４８は、前記第１のジッパープルタブに類似した以下で説明する構成を有してもよい。本体１５０は、上表面１５２と下表面１５３との間で延在する本体１５０の外側壁１５４及び内側壁１５５（図５を参照）によって上表面１５２と下表面１５３とが接合された、細長い本体であってもよい。上表面１５２及び下表面１５３は、図２に示すように概して平坦且つ互いに平行であってもよく、又は他の形態を取ってもよい。本体１５０は、第１のジッパースライダー１４２から第１のジッパープルタブ１４６の自由端１５６までの距離によって規定される長さと、細長い本体１５０の側壁１５４と１５５との間の距離によって規定される幅とを含んでもよい。前記長さは前記幅よりも大きくてもよい。本体１５０のそのような構成により、第１のジッパートラック１３８に沿って第１のジッパースライダー１４２を移動させるために第１のジッパープルタブ１４６を使用する場合に使用者が把持するのに比較的容易な対象が提供される。第１の開口線１１４に沿って第１のジッパースライダー１４２を移動させるために第１のジッパープルタブ１４６を使用するための、使用者が把持するのに好都合な対象を本体１５０が提供する限りは、本体１５０の他の構成も可能である。
【００３４】
第１のジッパープルタブ１４６と同様に、第２のジッパープルタブ１４８は、上表面１８２と下表面１８３との間で延在する本体１８０の外側壁１８４及び内側壁１８５（図５を参照）によって上表面１８２と下表面１８３とが接合された、細長い本体を含む。上表面１８２及び下表面１８３は、図２に示すように概して平坦且つ互いに平行であってもよい。本体１８０は、第２のジッパースライダー１４４から第２のジッパープルタブ１４８の自由端１８６までの距離によって規定される長さと、細長い本体１８０の対向する外側壁１８４と内側壁１８５との間の距離によって規定される幅とを含んでもよい。前記長さは前記幅よりも大きくてもよい。本体１８０のそのような構成により、第１のジッパートラック１３８に沿って第２のジッパースライダー１４４を移動させるために第２のジッパープルタブ１４８を使用する場合に使用者が把持するのに比較的容易な対象が提供される。第１の開口線１１４に沿ってジッパースライダー１４４を移動させるために第２のジッパープルタブ１４８を使用するための、使用者が把持するのに好都合な対象を本体１８０が提供する限りは、本体１８０の他の構成も可能である。一例では、前記本体は鋳造亜鉛で作られる。
【００３５】
第１及び第２のジッパープルタブ１４６、１４８のそれぞれは、本体１５０、１８０のそれぞれから下向きに延在する係合特徴１６２、１８６をさらに含んでもよい。いくつかの実施形態では、係合特徴１６２、１８８は、本体１５０、１８０の下表面１５３、１８３からそれと交差するように、且つ本体１５０、１８０の側壁１５４、１８４に概して平行に延在してもよい。係合特徴１６２、１８８はロック開口部１６４、１９０（図５を参照）を画定してもよく、ロック開口部１６４、１９０は、第１のジッパープルタブ１４６及び第２のジッパープルタブ１４８をロック機構１６６に固定するために、手荷物ケース１００と連結されたロック機構１６６のピン、フックなどを、それを通して受け入れることが可能である。ロック機構１６６は前記手荷物ケース上に位置付けられていてもよく、且つ前記手荷物ケースの側面のうちの１つに、ジッパー（１又は複数）に隣接して固定されていてもよく、又は前記ロック機構は、前記手荷物ケースから独立していてもよく、例えば南京錠などであってもよい。
【００３６】
係合特徴１６２、１８８はループ、突起、又はその他の任意の好適な構造であってもよい。係合特徴１６２、１８８がループの形状を取る場合、前記ループは概してＵ字形、アーチ形、又はその他の任意の好適な形状であってもよく、且つ第１のジッパープルタブ１４６及び第２のジッパープルタブ１４８の自由端１５６、１８６にそれぞれ近接して位置付けられていてもよい。ループ１６２は、それ自体で又は本体１５０と共に全体として、ロック開口部１６４を画定してもよい。
【００３７】
ロック機構１６６は、コンビネーションダイヤル１６８及び鍵穴１７０を含んでもよい。ロック機構１６６は、ロック機構１６６のハウジング１７４内に画定された、且つ第１のジッパープルタブ１４６及び第２のジッパープルタブ１４８の係合特徴１６２、１８８の少なくとも一部をそれぞれ受け入れる、ジッパープルタブ受入開口部１７２、１９２をさらに含んでもよい。ジッパープルタブ受入開口部１７２、１９２はそれぞれが、スロット、穴の形態を取ってもよく、又は各係合特徴１６２、１８８の少なくとも一部を受け入れることが可能なその他の任意の好適な構造であってもよい。この例及び他の例において、前記ジッパープルタブがそれらの内側面の少なくとも部分に沿って横方向で互いに係合された場合、前記係合特徴は、ロック機構１６６の隣接する受入開口部１７２、１９２内に係合特徴１６２、１８８が受け入れられることを可能にするように規定された距離だけ間隔をあけられている。
【００３８】
操作時に、且つロック機構１６６とのジッパープルタブ１４６の係合の例によれば、係合特徴１６２の十分な部分がジッパープルタブ受入開口部１７２内に位置付けられたら、ロック機構１６６のハウジング１７４内に含まれるピン、フックなどがロック開口部１６４を通して位置付けられてもよく、それにより、ジッパープルタブ受入開口部１７２からの係合特徴１６２の除去が防止され、したがって第１のジッパープルタブ１４６がロック機構１６６に固定されてもよい。前記ピン、前記フックなどがロック開口部１６４から除去されるまで第１のジッパープルタブ１４６がロック機構１６６内のジッパープルタブ受入開口部１７２から除去され得ず、それにより第１のジッパープルタブ１４６がロック機構１６６に効果的に固定されるように、ロック機構１６６及び第１のジッパープルタブ１４６はさらに構成される。その上、前記ピン、前記フックなどがロック開口部１６４内に位置付けられたら、使用者が最初にロックのコンビネーションダイヤル１６８を使用して正しいコンビネーションを入力するか、又は鍵穴１７０内に挿入された鍵を利用して、ロック機構１６６のハウジング１７４内に含まれる前記ロック機構をロック解除するまで、前記ピン、前記フックなどがロック開口部１６４から出る動きは防止される。一例では、前記ジッパープルタブが個別に又は横方向で互いに係合されている場合に前記ロック機構に相対的に位置付けることにおいて助けになるように、前記ジッパープルタブのうちのいずれか一方又は両方を引き付けるために、１又は複数の磁石がロック機構のハウジング内に又はロック機構のハウジングと連結されていてもよい。
【００３９】
ジッパープルタブ１４６、１４８及び特に内側面の構造と横方向での係合とは、図５〜図８で、横方向で係合される前の相対位置及び分離可能に一緒に固定された相対位置において、より詳細に示されている。図５において最も良く示されているように、各ジッパープルタブ１４６、１４８の内側面１５５、１８５は、各ジッパープルタブの上表面及び下表面によって規定される高さと、前記各ジッパープルタブの主本体１５０、１８０の長さによって規定される長さとを有する壁であってもよい。各ジッパープルタブの前記内側面は、磁力によって、解放可能に固定可能な方法で他方に横方向で係合して（図６を参照）、２つのジッパープルタブによって形成された且つ分離可能に一緒に保持された単一のユニットを形成するように構成される。一例では、前記２つのジッパープルタブが互いに比較的近い場合、例えば一例では互いの約１／２インチ（約１．２７ｃｍ）以内である場合、前記ジッパープルタブの間の磁気吸引によって、前記プルタブが各内側面の少なくとも部分に沿って自動的に横方向で係合し、横方向で延在する単一のユニットを形成することが引き起こされる。前記内側面の間の横方向での係合は、一例では、前記内側面を画定する壁の面当接によるものであってもよく、ジッパープルタブの間のいかなるインターロック構造係合も存在しない。前記磁力は、一例では、前記２つのジッパープルタブの前記内側面の間に加えられる磁力である。前記磁力は使用者によって分離可能であり、例えばそれにより前記２つのジッパープルタブは、ロック機構１６６内に係合されていない場合、それらの各スライダーを前記ジッパーに沿って移動するために個別に使用されてもよい。別の例では、各スライダー１４２、１４４がジッパー１３０上で互いに隣接している場合、例えば互いに係合している場合に、前記２つのジッパープルタブはそれらの各内側面の少なくとも部分に沿って自動的に横方向で係合してもよい。前記磁力は、前記ジッパープルタブを緩く一緒に保持する大きさのものであってもよく、且つ互いからの比較的容易な分離を、前記ジッパープルタブを互いから面倒な状態で離す必要なしに可能にしてもよい。これは、機械的にインターロックされたジッパープルタブを、一方のジッパープルタブを他方から解き放すことによって分離することに比較して、達成がより容易である。
【００４０】
図５に示すように、ジッパープルタブ１４６の内側面１５５は、前記ジッパープルタブの長さに沿って延在する。この例では、前記内側面は、前記ジッパープルタブの長さの約２５％に沿って第１の厚さを規定する第１の部分２０２と、前記ジッパープルタブの長さの残りの約７５％に沿って第２の厚さを規定する第２の部分２０４とを有する。第１のジッパープルタブ１４６の第１の部分２０２は、第１の部分２０２内に形成された大き目のアパーチャ２０８を通して受け入れられたスライダー１４２上のクリップ２０６によって、スライダー１４２に連結されている。第２のジッパープルタブ１４８は、同じ方法でスライダー１４４と連結されている。これにより、ジッパープルタブ１４６はスライダー１４２に相対的に移動することが可能になり、他方のジッパープル１４８との整列及び係合が容易になる。この例では、第２のジッパープルタブ１４８の内壁１８５は同様の構造を有する。
【００４１】
引き続き図５を参照すると、開口部２１０を有するリセス２０８がジッパープルタブ１４６の第２の部分２０４内に形成されており、その中に磁石２１２が受け入れられている。この例では、リセス２０８は、第２の部分２０４の長さの大部分に沿って延在する長さ寸法を規定し、これはジッパープルタブ１４６の全長の半分より大きく、より具体的には、前記ジッパープルタブの長さの約６５％であってもよい。リセス２０８内に位置付けられた磁石２１２は、リセス２０８の長さ寸法及び高さ寸法の両方において概して延在し、前記リセスの開口部２１０を通して露出された磁石を有する。この例では、図７において最も良く示されているように、第２のジッパープルタブ１４８の内壁１８５も、開口部２１６を有するリセス２１４を画定し、その中に磁石２１８がやはり受け入れられている。しかし磁石２１８は、第１のジッパープルタブ１４６内の磁石２１２によって露出された極に比較して反対の極が前記リセスの前記開口部に向くように、向けられている。前記磁石は、前記ジッパープルタブが所定の形状に鋳造される際に所定の位置に形成されることによって、前記ジッパープルタブ内の各位置内に固定されていてもよく、又は、接着剤を用いて、若しくは圧入若しくは楔挿入などの機械的手段によって、前記リセス内に固定されていてもよい。前記磁石は、いくつかの実施形態では、前記ジッパープルタブの本体内に、例えば一例ではそれらが前記ジッパープルタブ内の所定の場所に鋳造される際に、完全に埋め込まれてもよく且つ全面的に覆われてもよい。本明細書中での使用のために記載される前記磁石は永久磁石を含む。
【００４２】
図６を参照すると、第１のジッパープルタブ１４６及び第２のジッパープルタブ１４８が、対向する内側面内に位置付けられた磁石の反対極の間に作られる磁力によって、それらの各内側面に沿って横方向で係合され分離可能に一緒に固定されて示されている。前記内側面は、この例では、２つの内側面の間の面当接によって係合される。前記面当接は、この一例では、各ジッパープルタブの第２の部分の長さに沿ったものである。前記面当接には、前記第１のジッパープルタブと前記第２のジッパープルタブとの間のいかなる機械的インターロックも伴わず、分離可能な固定力が、横方向で係合されたジッパープルタブを横方向で係合された状態に保つために必要とされる。言い換えると、この例の２つのジッパープルタブの間に加えられる前記分離可能な固定力、この例では前記磁力がなければ、前記第１のジッパープルタブ及び前記第２のジッパープルタブは、位置が変えられた場合、横方向で互いに係合された状態のままとはならない。
【００４３】
図７は、図５の線７−７に沿って取られた断面図であり、横方向で係合する前の２つのジッパープルタブ１４６及び１４８を示している。磁石２１２はジッパープルタブ１４６のリセス２０８内に位置付けられており、磁石２１２の外面２２０は内側面１５５から引っ込んでいる。同様に、磁石２１８はリセス２１４内に位置付けられており、その外面２２２は内側面１８５から引っ込んでいる。上述のように、磁石２１２の外面２２０は、磁石２１８の外面２２２に比べて反対の極である。これらの磁石の反対の極は、互いに適度に近く位置付けられた場合、例えば約４分の１インチ（約０．６４ｃｍ）〜２分の１インチ（約１．２７ｃｍ）以内に近接して位置付けられた場合、互いに引き付け合い、前記２つのジッパープルタブが各内側面の少なくとも部分に沿って自動的に横方向で係合することを引き起こすための分離可能な固定力を作る。
【００４４】
図８は、図６の線８−８に沿って取られた断面図であり、この例では磁石２１２及び２１８によって作られた、分離可能な磁力の下で各内側面が横方向で係合された場合の、２つのジッパープルタブ１４６及び１４８を示している。ジッパープルタブ１４６及び１４８の前記内側面は、それらの長さの部分に沿って、この例では少なくとも各第２の部分に沿って係合する。図８を詳細に参照すると、ジッパープルタブ１４６の内側面１５５の、リセス２０８の上及び下の部分は、ジッパープル１４８の内側面１８５の、リセス２１４の上及び下の部分と面当接して係合する。第１のプルタブ１４６の第２の部分２０４の、リセス２０８の両端における部分も、ジッパープルタブ１４８の第２の部分の、リセス２１４の両端における対応する部分と面当接してもよい。磁石２１２の外面２２０と磁石２１８の外面２２２との間に形成される間隙は、前記２つのジッパープルタブを一緒に保持するための十分な磁力を可能にするものであり、また、前記リセス内に位置付けられた前記磁石の寸法公差が、性能を低下させることなしにある程度変化することを可能にするものである。この横方向で係合された構成において、ジッパープルタブ１４６、１４８の係合特徴１６２、１８８のそれぞれは、ロック機構１６６の受入開口部１７２、１９２に十分に類似した又は等しい距離だけ横方向で間隔をあけられている。この間隔により、横方向で係合されたジッパープルタブ１４６、１４８が前記ロック機構に向けて下向きに移動され、前記係合特徴が前記ロック機構の受入開口部１７２、１９２内に位置付けられることが可能になる。この横方向で係合された構成における場合、一例では、ジッパープルタブ１４６、１４８は概して垂直に整列されていてもよく、例えば上側面１５２、１８３は互いに概して面一であってもよく、且つ／又は、底側面１５３、１８３は互いに概して面一であってもよく、且つ／又は、各係合特徴１６２、１８８の底部は互いに概して面一である（図２を参照）。これらの面は、他の例では互いに面一でなくてもよい。
【００４５】
図７及び図８には、各ジッパープルタブの前記内側面の横方向で係合された部分が、各ジッパープルタブの上側面１５２、１８２に対して実質的に直角に延在する壁を形成することも示されている。各ジッパープルタブの内側面１５５と１８５との間の境界面は、（図の向きに対して）比較的垂直な広がりを画定する境界面を有するものとして、ここで及び他の例において示されている。
【００４６】
図９及び図１０は、図７及び図８に類似した代表的な概略図であり、外表面２２０’及び２２２’がそれぞれ内側面１５５及び１８５と概ね面一であるようにサイズ決定され且つ／又は位置付けられた磁石２１２’及び２１８’を示している。２つのジッパープルタブ１４６及び１４８が係合された場合、外面２２０’及び２２２’も係合されてもよい。この例において示すように、この横方向での係合も、内側面１５５及び１８５の面当接によって画定される。
【００４７】
図１１及び図１２は、図９及び図１０に類似した代表的な概略図であり、材料の層２２４がジッパープルタブ１４６、１４８に施されてもよいことを示している。材料の層２２４は、単一の材料の層であってもよく、又は２つ以上の材料層の薄層であってもよい。例示的な層としては、前記ジッパープルタブのグリップ特性を向上するために、ディップモールディング又はオーバーモールディングなどによって前記ジッパープルタブの外表面に施される材料が含まれてもよい。層２２４は磁石２１２及び２１８の上及び下の内側面部分上に延在してもよく、しかし磁石２１２’、２１８’の外表面２２０’及び２２２’上には延在しなくてもよい（前記磁石の前記外表面がインセットであるか面一であるかに関係なく）。あるいは、図１１及び図１２の破線によって示されているように、材料の層２２４は外表面２２０’及び２２２’上に延在してもよい（前記磁石の前記外表面がインセットであるか面一であるかに関係なく）。外表面２２０’及び２２２’を覆う層２２４によって、前記磁石が使用による損傷から保護され得ると共にそれらの有効寿命が延長され得る。層２２４は、前記ジッパープルタブの間に加えられる分離可能な磁力に顕著な影響は及ぼさない可能性がある。前記磁石の強度は、任意の劣化を補償するように変更されてもよい。別の例では、磁石２１２及び２１８は、前記ジッパープルタブの前記本体の内部に、前記内側面の近くで全面的に埋め込まれてもよい。
【００４８】
前記ジッパープルタブは両方が磁石（１又は複数）を含むものとして上述したが、別の例では、一方のジッパープルタブのみがそれと連結された磁石（１又は複数）を有してもよく、他方のジッパープルタブはその内側面に沿って強磁性金属構成を少なくとも有し、それにより前記磁石からの磁力の下で引き付けられて２つの内側面の係合を引き起こしてもよい。
【００４９】
上述の磁石は、隣接するジッパープルタブの内側面内に形成されるリセス内に位置付けられる必要はない。代わりに、磁石（１又は複数）は、リセス（１又は複数）内に位置付けられることなしに、前記ジッパープルタブのうちの一方又は両方の内側面を形成する壁と連結されてもよい。１又は複数の磁石は、各内側面の一方又は両方のそれぞれに、接着剤又は他のタイプのファスナによって連結されてもよい。あるいは、一方のジッパープルタブは、リセス内に位置付けられることなしに内側面に連結された磁石を有してもよく、他方のジッパープルタブは、リセス内に位置付けられることによって他方のジッパープルタブの内側面に連結された磁石を有してもよい。層２２４は、前記ジッパープルタブへの前記磁石の連結方法に関係なく、前記ジッパープルタブ上に施されてもよい。
【００５０】
他の例では、前記分離可能な磁力は、前記内側面の長さの少なくとも部分に沿って、又は前記内側面の全長に沿って、又は前記内側面の長さの部分若しくは全部に沿って形成される２つ以上の（複数の）別個の領域に沿って加えられてもよい。例えば、前記分離可能な磁力は、ジッパープルタブの前記内側面の長さの約１００％〜前記ジッパープルタブの長さの１０％未満の範囲の長さに沿って加えられてもよい。前記分離可能な磁力はまた、前記ジッパープルタブの前記第２の部分の間で加えられてもよく、又は前記ジッパープルタブの前記第１の部分の間で加えられてもよく、又は両方又は全ての部分の間で連続的に加えられてもよい。あるいは、前記分離可能な磁力は、前記ジッパープルタブの前記内側面の２つ以上の領域において、例えば、前記第１の部分内の２つ以上の領域、前記第２の部分内の２つ以上の領域、又は２つの部分のそれぞれにおける１若しくは複数の領域などにおいて加えられてもよい。いくつかの例では、側壁内にリセスは形成されなくてもよい。あるいは、前記分離可能な磁力を作るために磁石が使用される場合、各ジッパープルタブ上で２つ以上の磁石が使用されてもよい。磁石がリセスと共に利用される場合、磁石は前記リセスの長さより短くてもよく、前記リセスの高さより低くてもよく、リセス内に２つ以上の磁石が位置付けられてもよい。
【００５１】
前記分離可能な磁力は、前記ジッパープルタブのうちの少なくとも１つであって、少なくとも部分的に強磁性材料で作られた他のジッパープルタブを引き付けるように磁化された、前記ジッパープルタブのうちの少なくとも１つを有することと、前記ジッパープルタブの間の横方向での係合をいかなるインターロック構造もなしに引き起こすための十分な分離可能な磁力であって、前記ロック機構との整列のための及び加えて前記ロック機構との係合のための操作に好適な単一のユニットを形成するための、十分な分離可能な磁力を有することと、を含んでもよい。前記ジッパープルタブの前記内側面に沿った前記磁石の向きは、各実施形態において、前記ジッパープルタブの間の好ましい磁力効果を作るために所望に応じて向けられてもよい。
【００５２】
例えば１４６、１４８などの各ジッパープルタブの内側面は、各ジッパープルタブの上側面及び底側面に対して概して直角であるとして表されている。この構成では、横方向で係合された場合、例えば図８に示すように、ジッパー内側面は互いに垂直に整列されている。前記内側面は、各ジッパープルタブの前記上側面及び前記底側面に対して直角以外であってもよく、しかし横方向で係合された場合に前記上側面及び前記底側面が概ね面一又は平坦のままであり得るように、一方の側壁の、その各上側面及び底側面に相対的な角度は、他方の内側面の、その上側面及び底側面に相対的な角度と相補的でなければならない可能性がある。
【００５３】
さらなる構成では、前記第１のジッパープルタブ及び前記第２のジッパープルタブの各内側面の部分は直線形状を画定する。それらはまた、相補的な曲線形状を画定してもよく、前記曲線形状は、図７〜図１２に示す内側面の境界面によって表されている垂直面などの垂直面内にあってもよい。垂直面内の曲線は、図７〜図１２に示すまっすぐな壁の係合に類似した、面当接する横方向での係合をもたらし、インターロック構造は形成しない。
【００５４】
本開示による装置及び関連する方法について、動作原理を説明するための特定の実施形態を参照して説明した。したがって上記の説明は例示のためのものであり、限定するためのものではない。説明した実施形態に対する様々な修正及び変更が、本明細書中の教示に照らして当業者にとって明らかであろう。当業者は例えば、本明細書中に明示的に図示又は記載されてはいないが、記載された原理を具現化し、したがって本開示の精神及び範囲内にある、様々なシステム、構成、及び方法を考案することが可能であり得る。したがって、開示された実施形態のそのような変更、変形、及び修正の全ては、添付の特許請求の範囲によって規定される本開示の範囲内にあることが意図される。
【００５５】
適切な場合、共通の構造特徴及び方法特徴に対して共通の参照用語が使用される。しかし、説明の目的のために、類似した又は同じ構造要素又は方法要素に対して独特の参照用語が場合によっては使用される。したがって、類似した又は同じ構造要素又は方法要素に対する、共通の又は異なる参照用語の使用は、本明細書中の記載を超える類似性又は差異を意味することを意図するものではない。
【００５６】
全ての相対性及び方向に関する言及（上側（ｕｐｐｅｒ）、下側（ｌｏｗｅｒ）、上方（ｕｐｗａｒｄ）、下方（ｄｏｗｎｗａｒｄ）、左（ｌｅｆｔ）、右（ｒｉｇｈｔ）、左方（ｌｅｆｔｗａｒｄ）、右方（ｒｉｇｈｔｗａｒｄ）、上（ｔｏｐ）、底（ｂｏｔｔｏｍ）、側（ｓｉｄｅ）、上（ａｂｏｖｅ）、下（ｂｅｌｏｗ）、前（ｆｒｏｎｔ）、中（ｍｉｄｄｌｅ）、後（ｂａｃｋ）、垂直（ｖｅｒｔｉｃａｌ）、水平（ｈｏｒｉｚｏｎｔａｌ）などを含む）は、本明細書中に記載した特定の実施形態を読者が理解するのを助けるための例として示されたものである。これらは特許請求の範囲において特に明記しない限り、特に位置、向き、又は本発明の使用に関する要件又は制限であると解釈されるべきではない。接続に関する言及（例えば、取り付けられ（ａｔｔａｃｈｅｄ）、連結され（ｃｏｕｐｌｅｄ）、接続され（ｃｏｎｎｅｃｔｅｄ）、接合され（ｊｏｉｎｅｄ）など）は広く解釈されるべきであり、要素の接続の間の中間部材、及び要素間の相対移動を含んでもよい。したがって、接続に関する言及は、特許請求の範囲において特に明記しない限り、２つの要素が直接接続され互いに固定された関係にあることを必ずしも意味しない。
【００５７】
本発明の原理及び動作方式について、好ましい実施形態において説明及び図示した。しかし本発明は、その精神又は範囲から逸脱することなく、具体的に説明及び図示したものとは異なるように実施されてもよいということが理解されるべきである。
【図１】
2019010504.tif 000003
【図２】
2019010504.tif 000004
【図３】
2019010504.tif 000005
【図４】
2019010504.tif 000006
【図５】
2019010504.tif 000007
【図６】
2019010504.tif 000008
【図７】
2019010504.tif 000009
【図８】
2019010504.tif 000010
【図９】
2019010504.tif 000011
【図１０】
2019010504.tif 000012
【図１１】
2019010504.tif 000013
【図１２】
2019010504.tif 000014
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
手荷物用品は、少なくとも２つのジッパースライダーを含むジッパーを含み、
前記少なくとも２つのジッパースライダーのうちの１つは、細長い本体を含む第１のジッパープルタブに接合されており、前記細長い本体は、外側面と内側面とを有し、
前記少なくとも２つのジッパースライダーのうちのもう１つは、細長い本体を含む第２のジッパープルタブに接合されており、前記細長い本体は、外側面と内側面とを有し、
少なくとも１つの磁石が前記第１のジッパープルタブ及び前記第２のジッパープルタブのうちのいずれか又は両方と連結されており、
前記第１のジッパープルタブと前記第２のジッパープルタブとは、磁力によって、前記第１のジッパープルタブと前記第２のジッパープルタブの各内側面の少なくとも部分に沿って横方向で係合され、係合した状態で保持される、手荷物用品。
【請求項２】
前記第１のジッパープルタブは係合特徴を含み、
前記第２のジッパープルタブは係合特徴を含み、
ロック機構が前記手荷物用品に連結されており、前記ロック機構は少なくとも２つのジッパープルタブ受入開口部を含み、前記少なくとも２つのジッパープルタブ受入開口部はそれぞれが前記係合特徴のうちの１つを受け入れるようにサイズ決定されており、
横方向で係合された第１のジッパープルタブ及び第２のジッパープルタブは、前記係合特徴を、前記少なくとも２つのジッパープルタブ受入開口部内への受け入れのために位置付ける、請求項１に記載の手荷物用品。
【請求項３】
前記係合特徴は、前記少なくとも２つのジッパープルタブ受入開口部内に受け入れられる、請求項２に記載の手荷物用品。
【請求項４】
前記第１のジッパープルタブ及び前記第２のジッパープルタブは、前記各内側面の前記部分の当接によって係合される、請求項１〜請求項３のいずれか一項に記載の手荷物用品。
【請求項５】
前記各内側面の前記部分の前記当接は、前記第１のジッパープルタブ及び前記第２のジッパープルタブの、インターロックなしでの面当接を含む、請求項４に記載の手荷物用品。
【請求項６】
前記第１のジッパープルタブ及び前記第２のジッパープルタブは、前記磁力によって係合した状態で保持されている場合、横方向で延在する単一のユニットを形成する、請求項１〜請求項５のいずれか一項に記載の手荷物用品。
【請求項７】
前記第１のジッパープルタブの上側面及び底側面のうちの一方又は両方は、前記第２のジッパープルタブの、それぞれ、上側面及び底側面の一方又は両方と面一である、請求項１〜請求項６のいずれか一項に記載の手荷物用品。
【請求項８】
各ジッパープルタブの前記内側面の横方向で係合される部分は、各ジッパープルタブの上側面に対して実質的に直角に延在する壁を形成する、請求項１〜請求項７のいずれか一項に記載の手荷物用品。
【請求項９】
前記磁力は、前記第１のジッパープルタブの前記内側面の少なくとも部分と連結された少なくとも第１の磁石を、又は、前記第２のジッパープルタブの前記内側面の少なくとも部分と連結された少なくとも第２の磁石を、又は、前記第１のジッパープルタブ及び前記第２のジッパープルタブのそれぞれの前記内側面の少なくとも部分とそれぞれ連結された少なくとも第１の磁石及び少なくとも第２の磁石を含む、請求項１〜請求項８のいずれか一項に記載の手荷物用品。
【請求項１０】
第１の内側面及び／又は第２の内側面の部分がリセスを画定し、少なくとも第１の磁石及び／又は少なくとも第２の磁石はそれぞれのリセス内に受け入れられている、請求項９に記載の手荷物用品。
【請求項１１】
少なくとも第１の磁石は第１の内側面の部分内に完全に埋め込まれており、及び／又は、少なくとも第２の磁石は第２の内側面の部分内に完全に埋め込まれている、請求項９に記載の手荷物用品。
【請求項１２】
前記第１の磁石及び／又は前記第２の磁石はそれぞれ、各内側面の部分と面一であるか、面一より下か、又は面一より上である、請求項１０に記載の手荷物用品。
【請求項１３】
前記第１のジッパープルタブ及び／又は前記第２のジッパープルタブの前記内側面の部分の少なくとも一部上に層が位置付けられた、請求項１〜請求項１２のいずれか一項に記載の手荷物用品。
【請求項１４】
前記第１のジッパープルタブ及び前記第２のジッパープルタブの各内側面の部分は、直線形状を画定するか、又は相補的な曲線形状を画定する、請求項１〜請求項１３のいずれか一項に記載の手荷物用品。
【請求項１５】
前記ロック機構は手荷物ケースの側壁に取り付けられているか、又は前記ロック機構は前記手荷物ケースから独立している、請求項２に記載の手荷物用品。
【外国語明細書】
2019010504000001.pdf